(57)【要約】【課題】張力を付与することなくシート部材の上端の撓みを防止することができ、飛散物の飛散を容易に防止することができる飛散物の飛散防止具を提供する。【解決手段】飛散物の飛散防止具１は、矩形状のシート部材２と、シート部材２の１辺に沿って配設されシート部材２を支持する棒状体からなる支持部材３と、シート部材２の支持部材３が配設された辺に対向する辺に配設された錘部材４とを備える。【選択図】  図１
0003202072.tif 000002
【実用新案登録請求の範囲】
【請求項１】
電動草刈り機を駆動する際に発生する飛散物の飛散を防止する飛散防止具において、
矩形状のシート部材と、
該シート部材の１辺に沿って配設され該シート部材を支持する棒状体からなる支持部材と、
該シート部材の該支持部材が配設された辺に対向する辺に配設された錘部材とを備えることを特徴とする飛散物の飛散防止具。
【請求項２】
請求項１記載の飛散物の飛散防止具において、
前記支持部材は、両端に環状の係止部材を備えることを特徴とする飛散物の飛散防止具。
【請求項３】
請求項１又は請求項２記載の飛散物の飛散防止具において、
前記シート部材は、前記支持部材が配設される辺に沿って折り返された端部が該シート部材に固定されて形成された第１の袋状部を備え、該第１の袋状部内に該支持部材が配設されることを特徴とする飛散物の飛散防止具。
【請求項４】
請求項１〜請求項３のいずれか１項記載の飛散物の飛散防止具において、
前記シート部材は、前記支持部材が配設される辺に沿って折り返された端部を固定する固定部材を備えることを特徴とする飛散物の飛散防止具。
【請求項５】
請求項４記載の飛散物の飛散防止具において、
前記固定部材は１対のスナップボタン又は１対の面ファスナーであることを特徴とする飛散物の飛散防止具。
【請求項６】
請求項１〜請求項５のいずれか１項記載の飛散物の飛散防止具において、
前記錘部材は、棒状体からなることを特徴とする飛散物の飛散防止具。
【請求項７】
請求項６記載の飛散物の飛散防止具において、
前記シート部材は、前記錘部材が配設される辺に沿って折り返された端部が該シート部材に固定されて形成された第２の袋状部を備え、該第２の袋状部内に前記棒状体からなる錘部材が配設されることを特徴とする飛散物の飛散防止具。
【請求項８】
請求項７記載の飛散物の飛散防止具において、
前記シート部材は、前記棒状体からなる錘部材が配設される辺に沿って折り返された端部を固定する固定部材を備えることを特徴とする飛散物の飛散防止具。
【請求項９】
請求項８記載の飛散物の飛散防止具において、
前記固定部材は１対のスナップボタン又は１対の面ファスナーであることを特徴とする飛散物の飛散防止具。
【請求項１０】
請求項７〜請求項９のいずれか１項記載の飛散物の飛散防止具において、
前記棒状体からなる錘部材は前記第２の袋状部の長さより短い複数の棒状体であり、該第２の袋状部内に相互に所定の間隔を存して分散配置されることを特徴とする飛散物の飛散防止具。
【考案の詳細な説明】
【技術分野】
【０００１】
本考案は、飛散物の飛散防止具に関する。
【背景技術】
【０００２】
近年、道路の路側又は中央分離帯等の草刈り作業に、回転刃を備える電動草刈り機が用いられている。前記電動草刈り機を用いる作業では、刈り取られた植物片や地表の小石、空き缶等の飛散物が前記回転刃の回転により周囲に飛散される。
【０００３】
そこで、従来、作業現場の道路側に合成樹脂製シート等のシート部材からなる飛散防止具を地表に垂直に展張して、前記飛散物が路上に飛散しないようにすることが行われている。前記飛散防止具として、例えば、シート部材の上端の１辺に沿って一定間隔で縫うようにロープを挿通し、該ロープをロードコーンの頂部に取り付けることにより自立可能としたものが知られている（例えば特許文献１参照）。
【先行技術文献】
【特許文献】
【０００４】
【特許文献１】実用新案登録第３１４９１７６号公報
【考案の概要】
【考案が解決しようとする課題】
【０００５】
しかしながら、前記従来の飛散防止具では、前記ロープを挿通した前記シート部材の上端が自重で撓むため、該シート部材に水平方向の張力を付与する張力調整機能を備える弾性部材を挿着する必要があるという不都合がある。
【０００６】
本考案は、かかる不都合を解消して、張力を付与することなくシート部材の上端の撓みを防止することができ、飛散物の飛散を容易に防止することができる飛散物の飛散防止具を提供することを目的とする。
【課題を解決するための手段】
【０００７】
かかる目的を達成するために、本考案の飛散物の飛散防止具は、電動草刈り機を駆動する際に発生する飛散物の飛散を防止する飛散防止具において、矩形状のシート部材と、該シート部材の１辺に沿って配設され該シート部材を支持する棒状体からなる支持部材と、該シート部材の該支持部材が配設された辺に対向する辺に配設された錘部材とを備えることを特徴とする。
【０００８】
本考案の飛散物の飛散防止具によれば、前記シート部材は、その１辺に沿って配設された棒状体からなる支持部材に支持されるので、該支持部材が配設されている方を上端とすることにより、張力を付与することなくシート部材の上端の撓みを防止することができる。また、本考案の飛散物の飛散防止具によれば、前記支持部材が配設された辺に対向する辺に錘部材が配設されているので、該支持部材が配設されている方を上端としたときに、該錘部材の重量により、前記シート部材を下方に引っ張る張力が付与される。
【０００９】
この結果、前記シート部材が水平方向及び垂直方向において撓むことなく展張されることとなり、植物片、小石、空き缶等の飛散物の飛散を容易に防止することができる。
【００１０】
本考案の飛散物の飛散防止具によれば、前記支持部材を作業員が手で持つことにより展張することができる。このとき、前記支持部材は単なる棒状体であってもよいが、両端に環状の係止部材を備えることが好ましい。
【００１１】
本考案の飛散物の飛散防止具は、前記支持部材の両端に環状の係止部材を備えることにより、該支持部材を作業員が手で持つ際に、該係止部材を把持部として利用することができる。又、本考案の飛散物の飛散防止具は、前記係止部材をロードコーンの頂部に挿着することにより、自立させることができる。
【００１２】
また、本考案の飛散物の飛散防止具において、前記シート部材は、前記支持部材が配設される辺に沿って折り返された端部が該シート部材に固定されて形成された第１の袋状部を備え、該第１の袋状部内に該支持部材が配設されることが好ましい。
【００１３】
本考案の飛散物の飛散防止具では、前記シート部材の端部を前記辺に沿って折り返して固定することにより第１の袋状部を形成することができ、該第１の袋状部に該支持部材を配設することができる。従って、本考案の飛散物の飛散防止具によれば、前記シート部材以外の部材を用いることなく、前記支持部材を容易に配設することができる。
【００１４】
本考案の飛散物の飛散防止具において、前記シート部材は、前記支持部材が配設される辺に沿って折り返された端部を固定する固定部材を備えることにより、前記第１の袋状部を容易に形成することができる。前記固定部材としては、例えば、１対のスナップボタン又は１対の面ファスナーを用いることができる。
【００１５】
また、本考案の飛散物の飛散防止具において、前記錘部材は展張された前記シート部材に下方に引っ張る張力を付与できるものであればどのような形状であってよいが、棒状体からなることが好ましい。前記錘部材は、前記棒状体からなることにより、前記支持部材と共用することができる。
【００１６】
また、本考案の飛散物の飛散防止具において、前記錘部材が前記棒状体からなるときには、前記シート部材は、前記錘部材が配設される辺に沿って折り返された端部が該シート部材に固定されて形成された第２の袋状部を備え、該第２の袋状部内に該棒状体からなる錘部材が配設されることが好ましい。
【００１７】
本考案の飛散物の飛散防止具では、前記シート部材の端部を前記辺に沿って折り返して固定することにより第２の袋状部を形成することができ、該第２の袋状部に前記棒状体からなる錘部材を配設することができる。従って、本考案の飛散物の飛散防止具によれば、前記シート部材以外の部材を用いることなく、前記棒状体からなる錘部材を容易に配設することができる。
【００１８】
本考案の飛散物の飛散防止具において、前記シート部材は、前記棒状体からなる錘部材が配設される辺に沿って折り返された端部を固定する固定部材を備えることにより、前記第２の袋状部を容易に形成することができる。前記固定部材としては、第１の袋状部の場合と同様に、例えば、１対のスナップボタン又は１対の面ファスナーを用いることができる。
【００１９】
また、本考案の飛散物の飛散防止具において、前記錘部材が前記棒状体からなるときには、前記棒状体からなる錘部材は前記第２の袋状部の長さより短い複数の棒状体であり、該第２の袋状部内に相互に所定の間隔を存して分散配置されることが好ましい。このようにするときには、前記シート部材の下端縁を地表部の凹凸に沿って配置することができる。
【図面の簡単な説明】
【００２０】
【図１】本考案の飛散物の飛散防止具の構成を示す正面図。
【図２】本考案の飛散物の飛散防止具の組立図。
【図３】Ａは図１の袋状部を形成する方法を示す模式的断面図、Ｂは図１の袋状部の構成を示す模式的断面図。
【図４】本考案の飛散物の飛散防止具の第１の使用形態を示す正面図。
【図５】本考案の飛散物の飛散防止具の第２の使用形態を示す正面図。
【考案を実施するための形態】
【００２１】
次に、添付の図面を参照しながら本考案の実施の形態についてさらに詳しく説明する。
【００２２】
図１に示すように、本実施形態の飛散物の飛散防止具（以下、飛散防止具と略記する）１は、電動草刈り機を駆動する際に発生する飛散物の飛散を防止するものであって、矩形状のシート部材２と、シート部材２の上辺に沿って配設されシート部材２を支持する棒状体からなる支持部材３と、シート部材２の下辺（支持部材３が配設された上辺に対向する辺）に配設された錘部材４とを備える。
【００２３】
飛散防止具１では、シート部材２の上端部２ａが折り返されて固定具５により固定されることにより、第１の袋状部６が形成されている。袋状部６はシート部材２の上辺に沿ってトンネル状に形成されており、袋状部６内に支持部材３が配設されている。尚、支持部材３は、両端部が袋状部６の外部に突出するように配設される。
【００２４】
また、飛散防止具１では、シート部材２の下端部２ｂが折り返されて固定具７により固定されることにより、第２の袋状部８が形成されている。袋状部８はシート部材２の下辺に沿ってトンネル状に形成されており、袋状部８内に錘部材４が配設されている。
【００２５】
シート部材２は、例えば、縦０．５〜２ｍ、横２〜４ｍの範囲の矩形状であり、その材質は前記飛散物の飛散を防止できる強度を備えているものであれば、どのようなものであってもよい。シート部材２として、例えば、ブルーシート等の合成樹脂製シート、ガラス繊維織布製シート、布帛製シート等を用いることができるが、軽量で耐久性に優れ安価であることから、ブルーシート等の合成樹脂製シートが好ましい。
【００２６】
支持部材３は、シート部材２の上辺に形成された袋状部６内に配設されたときに、シート部材２の上辺の撓みを防止できる強度を備えている棒状体であればどのようなものであってもよい。支持部材３としては、金属製、合成樹脂製、木製等の棒状体を用いることができ、該棒状体は中実の円柱状体又は角柱状体であってもよく、中空の円筒状体又は角筒状体であってもよい。
【００２７】
さらに、支持部材３は、単なる棒状体であってもよく、その両端に環状の係止部材９を備えていてもよい。支持部材３がその両端に環状の係止部材９を備えているときには、このような支持部材３として、市販のコーンバーを用いてもよい。
【００２８】
錘部材４は、シート部材２の上辺が支持部材３に支持されているときに、シート部材２を下方に引っ張る張力を付与できるものであればどのようなものであってもよいが、例えば、シート部材２の下辺と略同一長の棒状体とすることができる。錘部材４に用いる棒状体としては、支持部材３に用いる棒状体と同一のものを用いることができる。
【００２９】
飛散防止具１は、図２に示すように、シート部材２、支持部材３、錘部材４の３部材により構成される。
【００３０】
ここで、シート部材２は、支持部材３が配設される上辺側に、１対の固定具５ａ、５ｂが上端部２ａに沿って２列に設けられている。固定具５ａ、５ｂは、例えば、スナップボタン又は面ファスナーを用いることができ、上端部２ａに沿って所定の間隔で複数設けられている。固定具５ａ、５ｂは本実施形態では各５個設けられているが、これに限定されることなく、シート部材２の大きさに応じて適宜その数を増減することができる。また、固定具５ａと固定具５ｂとの間隔は、支持部材３の周長より長ければよく、適宜設定することができる。
【００３１】
また、シート部材２は、錘部材４が配設される下辺側に、１対の固定具７ａ、７ｂが下端部２ｂに沿って２列に設けられている。固定具７ａ、７ｂは、例えば、スナップボタン又は面ファスナーを用いることができ、下端部２ｂに沿って所定の間隔で複数設けられている。固定具７ａ、７ｂは本実施形態では各５個設けられているが、これに限定されることなく、シート部材２の大きさに応じて適宜その数を増減することができる。
【００３２】
また、固定具７ａと固定具７ｂとの間隔は、袋状部８を形成したときに袋状部８内に錘部材４を収容できれる長さであればよい。例えば、錘部材４が棒状体からなるときには、固定具７ａと固定具７ｂとの間隔は、棒状体からなる錘部材４の周長より長ければよく、適宜設定することができる。
【００３３】
次に、飛散防止具１において、シート部材２の上辺側に支持部材３を配設する方法について説明する。
【００３４】
シート部材２の上辺側に支持部材３を配設するときには、図３Ａに示すように、シート部材２の固定具５ａ、５ｂ間に支持部材３を配置し、シート部材２の上端部２ａを折り返して、支持部材３をシート部材２により包み込むようにする。尚、本実施形態では、固定具５ａ、５ｂがスナップボタンである場合を例として示している。
【００３５】
次に、図３Ｂに示すように、固定具５ａを固定具５ｂに留めることにより、第１の袋状部６が形成され、袋状部６内に支持部材３が配置された状態となる。
【００３６】
飛散防止具１では、シート部材２の下辺側に錘部材４を配設する場合にも、上辺側に支持部材３を配設する場合と同様にして行うことができる。この場合には、図３Ａ、図３Ｂの説明において、上端部２ａを下端部２ｂ、支持部材３を錘部材４、固定具５ａ、５ｂを固定具７ａ、７ｂ、第１の袋状部６を第２の袋状部８と読み替えればよい。
【００３７】
図１に示す本実施形態の飛散防止具１を使用するときには、図４に示すように、飛散防止具１の両側に、例えばカラーコーン（登録商標）等のロードコーン１０、１０を配置し、支持部材３の両端に設けられた係止部材９にロードコーン１０の頂部を挿通することができる。この場合、飛散防止具１はロードコーン１０、１０により自立性を得ることができ、シート部材２の下辺側は錘部材４により下方に張力が付与されて、地表面（ロードコーン１０、１０の底部を結ぶ線）に沿って配置される。
【００３８】
また、図１に示す本実施形態の飛散防止具１は、図５のように、飛散防止具１の両側に位置する２人の作業員Ｍ、Ｍが支持部材３の両端を手で持つことにより用いることができる。この場合、支持部材３は単なる棒状体であってもよいが、両端に係止部材９を備えることにより、作業員Ｍ、Ｍは係止部材９を把持部として利用することができる。
【００３９】
本実施形態では、錘部材４がシート部材２の下辺と略同一長の棒状体である場合について説明している。しかし、錘部材４は、シート部材２の下辺の長さ（袋状部８の長さ）より短い複数の棒状体、例えば、シート部材２の下辺の長さの１／１０の長さの棒状体５個が、袋状部８内に相互に所定の間隔を存して分散配置されていてもよい。このようにすることにより、地表面に凹凸がある場合にも、シート部材２の下辺側をその凹凸に沿って配置することができる。
【符号の説明】
【００４０】
１…飛散物の飛散防止具、  ２…シート部材、  ３…支持部材、  ４…錘部材、  ５…固定具、  ６…第１の袋状部、  ７…固定具、  ８…第２の袋状部、  ９…係止部材、  １０…ロードコーン。
【図１】
0003202072.tif 000003
【図２】
0003202072.tif 000004
【図３】
0003202072.tif 000005
【図４】
0003202072.tif 000006
【図５】
0003202072.tif 000007